(57)【要約】【課題】  記憶媒体の記憶容量の空きを減らし、かつ整えられた形式で放送された情報を記憶する移動通信端末装置を提供する。【解決手段】  ＦＭ放送録音部は、音声情報を符号化する度に、符号化された情報とその情報に対応するインデックスとを記憶部に格納する空き容量の有無を判断し（ステップＳ２２ｒ）、空き容量がないと判断された場合（ステップＳ２２ｒの「Ｎｏ」）、録音ファイルの終端処理を要求して（ステップＳ２２ｓ）、録音動作を終了する（ステップＳ２２ｕ）。【選択図】  図５
2007214745.tif 000002
【特許請求の範囲】
【請求項１】
放送を受信して、放送された信号を得る受信手段と、
記憶手段と、
前記受信手段によって得られた信号を所定の単位毎に順次前記記憶手段に記憶する放送記憶手段とを有し、
前記放送記憶手段は、前記所定の単位分の信号を前記記憶手段に記憶すると、前記記憶手段の空き容量を検出し、その検出された空き容量が前記所定の単位分の信号を記憶するために必要な容量に満たないと判断した場合、該記憶動作を終了すること
を特徴とする移動通信端末装置。
【請求項２】
放送を受信して、放送された放送信号を得る受信手段と、
記憶手段と、
前記受信手段によって得られた前記放送信号を第１の単位、または第１の単位より少ない第２の単位毎に前記記憶手段に記憶する放送記憶手段とを有し、
前記放送記憶手段は、前記第１の単位の放送信号を前記記憶手段に記憶すると前記記憶手段の空き容量を検出し、その検出された空き容量が前記第１の単位の放送信号を記憶するために必要な容量に満たないと判断した場合、前記検出された空き領域が前記第２の単位の放送信号を記憶するために必要な容量を満たすか否かを判断し、満たすと判断した場合、前記第２の単位の放送信号を前記記憶手段に記憶すること
を特徴とする移動通信端末装置。
【請求項３】
前記放送記憶手段は、
前記検出された空き容量が前記記憶手段に記憶した前記第２の単位の放送信号の次の第２の単位の放送信号を記憶するために必要な容量を満たすか否かを判断し、満たさないと判断した場合、該記憶動作を終了すること
を特徴とする請求項２に記載の移動通信端末装置。
【請求項４】
前記第２の単位の放送信号は、音声及び／または画像が符号化された情報であること
を特徴とする請求項２または請求項３のいずれか１項に記載の移動通信端末装置。
【請求項５】
前記放送記憶手段は、
前記第２の単位の放送信号の一部を指すインデックスを前記記憶手段に記憶し、前記検出された空き容量が、前記第１の単位の放送信号、または前記第２の単位の放送信号を記憶するために必要な容量を満たすか否かを判断する際、前記第１の単位以前の放送信号に対応付けられるインデックス、または前記第２の単位以前の放送信号に対応付けられるインデックスを考慮して判断すること
を特徴とする請求項２または請求項３のいずれか１項に記載の移動通信端末装置。
【発明の詳細な説明】
【技術分野】
【０００１】
本発明は、移動通信端末装置に係り、特に放送された情報の記憶処理に関する。
【背景技術】
【０００２】
移動通信端末装置は、ラジオ放送や、テレビ放送を受信し、受信された情報が符号化されていない場合、その情報を符号化した上で装置に設けられた記憶媒体、例えばディスク装置に記憶する処理、即ち、録音処理や、録画処理が知られている。ここで、記憶媒体の記憶容量を使い尽くした場合、更に装置内に記憶することはできない。なお、記憶媒体の記憶容量とは、必ずしも記憶媒体全ての記憶容量を指すものではない。記憶媒体が複数の区分に分割された場合、放送された情報を記憶するために用いられる区分の記憶容量を指す。
【０００３】
そこで、記憶媒体の記憶容量を使い尽くした場合、異なる装置に続けて放送される情報の記憶をさせる処理が知られている（例えば、特許文献１参照。）。
【特許文献１】特開２００５−２３６８９０号公報（第２、５頁、図１０）
【発明の開示】
【発明が解決しようとする課題】
【０００４】
しかしながら、上述した特許文献１に開示されている方法では、装置の記憶媒体の記憶容量が尽きた際に行うべき処理が明らかでない問題点があった。この記憶媒体の記憶容量が尽きた際に行うべき処理が適切に行われないと、情報が整えられた形式で記憶されない可能性がある。
【０００５】
情報が整えられた形式で記憶されていないことは、記憶された情報の再生にあたり、早送り及び巻き戻し操作が行われた際に顕在化する可能性が高い。なぜなら、早送り及び巻き戻し操作の処理には、放送された情報のみならず、インデックス等の装置が作成した情報が用いられることがある。装置内の記憶媒体の記憶容量が尽きた際に、これらの情報は、放送された情報に比較して、整えられた形式で記憶されない可能性がより高いためである。
【０００６】
本発明は、上記問題点を解決するためになされたもので、記憶媒体の記憶容量の空きを減らし、かつ整えられた形式で放送された情報を記憶する移動通信端末装置を提供することを目的とする。
【課題を解決するための手段】
【０００７】
上記目的を達成するために、本発明の移動通信端末装置は、放送を受信して、放送された信号を得る受信手段と、記憶手段と、前記受信手段によって得られた信号を所定の単位毎に順次前記記憶手段に記憶する放送記憶手段とを有し、前記放送記憶手段は、前記所定の単位分の信号を前記記憶手段に記憶すると、前記記憶手段の空き容量を検出し、その検出された空き容量が前記所定の単位分の信号を記憶するために必要な容量に満たないと判断した場合、該記憶動作を終了することを特徴とする。
【発明の効果】
【０００８】
本発明によれば、記憶媒体の記憶容量の空きを減らし、かつ整えられた形式で放送された情報を記憶する移動通信端末装置を提供することができる。
【発明を実施するための最良の形態】
【０００９】
以下に、本発明による移動通信端末装置の実施の形態を、図面を参照して説明する。図１は、この移動通信端末装置の構成を示すブロック図である。この移動通信端末装置は、装置全体の制御を行う制御部１１と、基地局との間で電波の送受信を行うアンテナ１２ａと、通信部１２ｂと、送受信部１３と、受話用のスピーカ１４ａと、送話用のマイクロフォン１４ｂと、通話部１４ｃと、表示部１５と、入力装置１６と、電子メール送受信部１７と、ＦＭ放送受信部２１と、ＦＭ放送された音声及び後述する録音された音声を発生させるスピーカ２１ａと、ＦＭ放送録音部２２と、記憶部２３と、ＦＭ放送再生部２４とからなる。記憶部２３には、ファイル２３ａが記憶される。
【００１０】
ファイル２３ａは、例えば、電子メール送受信部１７によって作成された、または受信された電子メールからなるファイルであり、また、ＦＭ放送録音部２２によって録音されたＦＭ放送録音ファイルである。
【００１１】
上記のように構成された、本発明の実施形態に係る移動通信端末装置の各部の動作を、図１を参照して説明する。
【００１２】
通信部１２ｂは、アンテナ１２ａが受信した高周波信号を送受信部１３へ出力し、また、送受信部１３から出力される高周波信号をアンテナ１２ａより送信する。
【００１３】
送受信部１３は、通信部１２ｂからの高周波信号を増幅、周波数変換及び復調し、それによって得られたデジタル音声信号を通話部１４ｃに送り、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００１４】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００１５】
表示部１５は、制御部１１に制御されることで、文字・数字や画像データの表示動作を行い、表示されているデータは、入力装置１６からの入力操作や着信信号に応答して制御部１１からの指示を受けることで切換わる。
【００１６】
入力装置１６は、通信相手の電話番号を指定するための数字キーと複数の機能キーとを含むキーからなる。そして、入力装置１６のキーが操作されると、そのキーの識別子が制御部１１に通知され、制御部１１によって、表示部１５に文字として表示され、または、制御が行われる。
【００１７】
電子メール送受信部１７は、電子メールを送受信する。即ち、入力装置１６の所定のキーが操作された際に制御部１１によって起動され、送信する電子メールを入力装置１６のキー操作によって作成し、作成された電子メールを記憶部２３にファイル２３ａとして記憶し、通信部１２ｂ及び送受信部１３を起動して送信させる。
【００１８】
また、電子メール送受信部１７は、送受信部１３によって電子メール着信信号が受信されると制御部１１によって起動され、電子メールを受信し、受信された電子メールを記憶部２３にファイル２３ａとして記憶する。そして、入力装置１６の所定のキーが操作された際に起動され、入力装置１６のキー操作に従って記憶された電子メールの１つを選択して表示部１５に表示する。
【００１９】
電子メール送受信部１７が送受信する電子メールには、添付ファイルが添付されていても良い。送信する電子メールに添付する添付ファイルは、例えば、記憶部２３に記憶されたＦＭ放送録音部２２によって録音されたＦＭ放送録音ファイルである。
【００２０】
受信された電子メールに添付ファイルが添付されていた場合、電子メール送受信部１７は、その添付ファイルをファイル２３ａとして記憶部２３に記憶する。
【００２１】
ＦＭ放送受信部２１は、入力装置１６の所定のキー操作に基づいて、制御部１１によって起動され、入力装置１６の所定のキー操作によって選択されたＦＭ放送局の電波をＦＭ放送受信用アンテナ（図示せず）で受信して復調し、得られた音声をスピーカ２１ａから発生させる。
【００２２】
ＦＭ放送録音部２２は、入力装置１６の所定のキー操作に基づいて、制御部１１によって起動され、ＦＭ放送受信部２１によって得られた音声を録音する。即ち、その音声を所定の時間毎に切り出して符号化し、ＦＭ放送録音ファイルとして記憶部２３に記憶する。ＦＭ放送録音部２２は、入力装置１６の所定のキー操作によって録音動作を終了する。また、記憶部２３の記憶容量の空きが必要な容量に満たない場合、録音動作を終了する。
【００２３】
ＦＭ放送再生部２４は、入力装置１６の所定のキー操作に基づいて、制御部１１によって起動され、記憶部２３に記憶されたＦＭ放送録音ファイルを再生する。即ち、記憶部２３に記憶されたＦＭ放送録音ファイルを識別する情報を表示部１５に表示し、入力装置１６の所定のキー操作に基づいて選択されたＦＭ放送録音ファイルを読み出して復号し、得られた音声をスピーカ２１ａから発生させる。
【００２４】
ここで、ＦＭ放送再生部２４は、そのＦＭ放送録音ファイルの冒頭から順次読み出して、復号処理をするとは限らない。入力装置１６の所定のキー操作に基づいて、そのファイルを早送り処理、また、巻き戻し処理を行って、そのファイル内の情報を読み出す位置を変更する。ＦＭ放送再生部２４は、入力装置１６の所定のキー操作によって再生動作を終了する。
【００２５】
以下、本実施形態に係る移動通信端末装置の受信されたＦＭ放送の音声を録音する動作を説明する。
【００２６】
（ＦＭ放送録音ファイルの構成）
図２は、記憶部２３に記憶されるファイル２３ａの一種である、ＦＭ放送録音ファイルの構成の一例を示す。このＦＭ放送録音ファイル２３ｂは、ヘッダ２３ｃ、第１の音声情報２３ｄ１、第２の音声情報２３ｄ２、…、第ｎの音声情報２３ｄｎ、インデックス２３ｅとからなる。
【００２７】
ヘッダ２３ｃは、このＦＭ放送録音ファイル２３ｂはＦＭ放送が録音された情報からなること、このＦＭ放送録音ファイル２３ｂのサイズ、このＦＭ放送録音ファイル２３ｂに録音された情報の再生に要する時間、このＦＭ放送録音ファイル２３ｂを取り外し可能な記憶媒体へ保存することの可否などを含む。これらの情報の一部は、ＦＭ放送録音ファイル２３ｂのオープン、即ち、このＦＭ放送録音ファイル２３ｂへの書き込みが開始される際に書き込むことが可能である。
【００２８】
しかし、これらの情報の一部、例えば、このＦＭ放送録音ファイル２３ｂのサイズや、このＦＭ放送録音ファイル２３ｂの録音された情報の再生に要する時間は、このＦＭ放送録音ファイル２３ｂのクローズ、即ち、このＦＭ放送録音ファイル２３ｂへの書き込みが終了される際を待って書き込むことが可能である。そこで、このＦＭ放送録音ファイル２３ｂのオープン時には、ヘッダ２３ｃの領域は確保するものの、一部の情報については値を設定せず、クローズの際に値を設定する。
【００２９】
第ｍの音声情報２３ｄｍ（１≦ｍ≦ｎ）は、音声情報が符号化された情報の列である。即ち、音声が所定の時間毎に切り出されて符号化された情報が連結されて、所定の大きさ、例えば、数十キロバイト未満で、その大きさに近い大きさになった情報である。ただし、最後の音声情報である第ｎの音声情報２３ｄｎの大きさは、上記所定の大きさ以下の任意の大きさであって、クローズの際にこのＦＭ放送録音ファイル２３ｂに書き込まれる。第ｍの音声情報２３ｄｍ（１≦ｍ≦ｎ−１）は、符号化された情報が連結されて、所定の大きさになる度にこのＦＭ放送録音ファイル２３ｂに書き込まれる。
【００３０】
図３は、インデックス２３ｅの構成の一例を示す。このインデックス２３ｅは、録音開始からの時間２３ｆと、音声情報番号２３ｇと、オフセット２３ｈとが関連付けられた情報の組からなる。録音開始からの時間２３ｆは、０（秒）から始まり、Ｔ１（秒）おきにこのＦＭ放送録音ファイル２３ｂに録音された情報の再生に要する時間まで続く時間である。ここで、Ｔ１は、数秒程度である。音声情報番号２３ｇと、オフセット２３ｈとは、録音開始からの時間２３ｆで示される時間に対応する符号化された音声は、それぞれ、何番目の音声情報の中にあるかを示した情報と、音声情報内で位置する箇所はその音声情報の先頭からどれだけ離れているかを示した情報とを示す。
【００３１】
図３に示す一例で、録音開始からの時間２３ｆは、Ｔｉ（秒）であり、Ｔ（ｉ＋１）は、Ｔｉ＋Ｔ１（ｉ≧１）である。図３で、録音開始からの時間２３ｆが「Ｔ２（秒）」、音声情報番号２３ｇが「１」、オフセット２３ｈが「Ｘ２」なる関連付けられた情報によって、録音開始からＴ２（秒）にあたる音声が符号化された情報は、第１の音声情報２３ｄ１の先頭からＸ２の位置にあることが示されている。
【００３２】
なお、録音開始からの時間２３ｆは、０（秒）から始まり、Ｔ１（秒）ずつ増加する値であるので、インデックス２３ｅの情報の組を録音開始からの時間２３ｆ順にソートして記憶し、インデックス２３ｅの何番目の音声情報番号２３ｇと、オフセット２３ｈとの組であるかによって、録音開始からの時間２３ｆを算出することが可能である。そこで、録音開始からの時間２３ｆの記憶を省略しても良い。
【００３３】
インデックス２３ｅは、ＦＭ放送録音ファイル２３ｂのクローズの際、即ち、最後の音声情報である第ｎの音声情報２３ｄｎがＦＭ放送録音ファイル２３ｂに書き込まれた後、ＦＭ放送録音ファイル２３ｂに書き込まれる。その書き込みに至るまで、ＦＭ放送録音ファイル２３ｂを記憶部２３に書き込む処理部、即ち、ＦＭ放送録音部２２は、ＦＭ放送録音部２２内にインデックス情報を上記説明したインデックス２３ｅの形式に従って、情報の組を追加しつつ記憶し、ＦＭ放送録音ファイル２３ｂのクローズの際、インデックス情報をインデックス２３ｅとして書き込む。
【００３４】
このインデックス２３ｅは、ＦＭ放送再生部２４がＦＭ放送録音ファイル２３ｂに記憶された音声情報を再生するにあたり、早送り及び巻き戻し処理の際に使われる。即ち、例えば、早送りの際、早送りの操作がされている時間に応じて加算された時刻と近い値に等しい録音開始からの時間２３ｆを含む情報の組を検索し、検索された情報の組の音声情報番号２３ｇとオフセット２３ｈとで示される位置から再生を行う。
【００３５】
（ＦＭ放送録音部２２の動作）
図４及び図５は、ＦＭ放送録音部２２の録音動作のフローチャートを示す。この図では、ＦＭ放送録音部２２と、表示部１５、入力装置１６、及び、記憶部２３との間の情報の流れも明示した。
【００３６】
ＦＭ放送録音部２２は、ＦＭ放送受信部２１がＦＭ放送を受信中に、入力装置１６の所定のキーの押下などによって録音要求がされると、制御部１１によって起動され、録音動作を開始する（ステップＳ２２ａ）。そして、既に登録されたファイル２３ａの数が最大値であるか否かを調べる（ステップＳ２２ｂ）。
【００３７】
ここで、ファイル２３ａの数とは、ＦＭ放送録音部２２によって既に作成されたＦＭ放送録音ファイル２３ｂの数が、ＦＭ放送録音ファイル２３ｂの数として許される最大値に等しいとして判断するが、これに限るものではない。いずれの処理部が作成したかを問わず、記憶部２３に既に登録されたファイル２３ａの数が、ファイル２３ａの数として許される最大値に等しいとして判断しても良い。また、これらの判断に際し、記憶部２３を参照する場合もあるが、図では省略している。
【００３８】
既に登録されたファイル２３ａの数が最大値である場合、ＦＭ放送録音部２２は、表示部１５に録音に失敗した旨の通知を表示して、録音動作を終了する（ステップＳ２２ｃ）。一方、既に登録されたファイル２３ａの数が最大値でない場合、ＦＭ放送録音部２２は、記憶部２３に空き容量通知要求を送信し（ステップＳ２２ｄ）、その要求に応じた空き容量通知を受信する（ステップＳ２２ｅ）。ここで、空き容量とは、ＦＭ放送録音部２２が用いることを許された容量の中で未使用の部分の大きさであるが、これに限るものではない。記憶部２３全ての容量の中で未使用の部分の大きさであっても良い。
【００３９】
次に、ＦＭ放送録音部２２は、受信された空き容量から、録音可能時間を算出する（ステップＳ２２ｆ）。ＦＭ放送録音ファイル２３ｂの大きさと録音時間との関係は、以下のような関係にあるので、録音可能時間は、録音する音声に依存して誤差が生ずるものの、算出が可能である。まず、ヘッダ２３ｃの大きさは、一定である。また、インデックス２３ｅの大きさは、録音する時間に比例する。
【００４０】
次に、第１〜ｎの音声情報２３ｄ１〜２３ｄｎの大きさは、既に説明したように、最後の第ｎの音声情報２３ｄｎを除いて一定として良い。第１〜ｍの音声情報２３ｄ１〜２３ｄｍ（１≦ｍ≦ｎ−１）に含まれる符号化された音声の数は、その音声に依存した差異はあるものの、事前に平均値を求めておくことにより、得られる。
【００４１】
続いて、ＦＭ放送録音部２２は、算出された録音可能時間が所定の値以下であるか否かを調べる（ステップＳ２２ｇ）。ここで、この所定の値とは、例えば、０としても良い。これは、空き容量にヘッダ２３ｃすら記憶できない場合を意味する。また、所定の時間（秒数）としても良い。これは、意味のある録音が不可能な場合である。
【００４２】
録音可能時間が所定の値以下である場合、ＦＭ放送録音部２２は、録音によって作成されるＦＭ放送録音ファイル２３ｂを記憶部２３に格納する余裕がないと判断して、表示部１５に録音に失敗した旨の通知を表示して、録音動作を終了する（ステップＳ２２ｈ）。
【００４３】
一方、録音可能時間が所定の値を越える場合、ＦＭ放送録音部２２は、残り録音可能時間に録音可能時間を代入し（ステップＳ２２ｉ）、録音開始に成功した旨の通知を表示部１５に表示する（ステップＳ２２ｊ）。
【００４４】
図５を参照して、説明を続ける。ＦＭ放送録音部２２は、残り録音可能時間を参照して、１つの音楽情報分の空き容量があるか否かを判断する（ステップＳ２２ｋ）。ここで、１つの音楽情報分の容量は、新たに作成しようとする第ｍの音声情報２３ｄｍの容量に、第１〜ｍの音声情報２３ｄ１〜２３ｄｍに対応して作成されるインデックス情報の容量を加えた容量である。１つの音楽情報分の空き容量がある場合、音声符号化によって新たに第ｍの音声情報２３ｄｍを作成し、また、インデックス情報への情報の追加を行って（ステップＳ２２ｍ）、作成された第ｍの音声情報２３ｄｍのＦＭ放送録音ファイル２３ｂへの追加格納を記憶部２３に要求する（ステップＳ２２ｎ）。
【００４５】
続いて、ＦＭ放送録音部２２は、記憶部２３に空き容量通知要求を送信し（ステップＳ２２ｏ）、その要求に応じた空き容量通知を受信する（ステップＳ２２ｐ）。これらの動作は、既に説明したステップＳ２２ｄ、Ｓ２２ｅの動作と同一である。そして、受信された空き容量から、残り録音可能時間を算出する（ステップＳ２２ｑ）。この動作は、既に説明したステップＳ２２ｆ、Ｓ２２ｉの動作と同様である。そして、ステップＳ２２ｋの、残り録音可能時間を参照して、１つの音楽情報分の空き容量があるか否かを判断する動作に移る。
【００４６】
ステップＳ２２ｋで、１つの音楽情報分の空き容量がないと判断された場合、ＦＭ放送録音部２２は、音楽を符号化する度に、その符号化された情報を含む、新たに作成しようとする第ｍの音声情報２３ｄｍの容量と、符号化された情報を含む録音時間に対応して作成されるインデックス情報の容量との合計値を算出する。そして、その合計値とステップＳ２２ｅで通知を受けた、または、ステップＳ２２ｐで通知を受けた記憶部２３の空き容量とを比較することによって、記憶部２３に格納する空きがあるか否かを判断する（ステップＳ２２ｒ）。なお、ステップＳ２２ｒの上記合計値と記憶部２３の空き容量とを比較して処理を分岐する動作は、音楽を符号化する度に行うと限るものではない。一定時間毎（例えば１秒毎）に行っても良い。
【００４７】
ステップＳ２２ｒで、格納する空きがあると判断された場合、ＦＭ放送録音部２２は、ステップＳ２２ｒの、音楽の符号化と、記憶部２３に格納する空きがあるか否かを判断する動作を繰り返す。
【００４８】
一方、ステップＳ２２ｒで、格納する空きがないと判断された場合、ＦＭ放送録音部２２は、最後に符号化された情報を除去し、また、その符号化に対応してインデックス情報に新たに情報が追加されたなら、その追加された情報を除去し、ＦＭ放送録音ファイル２３ｂの終端処理を記憶部２３に要求する。即ち、新たに作成した第ｍの音声情報２３ｄｍと、インデックス情報と、更には、ヘッダ２３ｃの、録音終了を待って決まった値とをＦＭ放送録音ファイル２３ｂに格納させて、クローズさせる（ステップＳ２２ｓ）。
【００４９】
そして、ＦＭ放送録音部２２は、表示部１５に録音を停止した旨の通知を表示して（ステップＳ２２ｔ）、録音動作を終了する（ステップＳ２２ｕ）。なお、ＦＭ放送録音部２２は、入力装置１６の所定のキーが操作された場合、ステップＳ２２ｓのＦＭ放送録音ファイル２３ｂの終端処理を記憶部２３に要求して、録音動作を終了する（図示せず）。
【００５０】
なお、ステップＳ２２ｒで、空きがあるとの判断が続き、作成中の第ｍの音声情報２３ｄｍが既に説明した所定の大きさ、例えば、数十キロバイト未満で、その大きさに近い大きさになることがある。なぜなら、ステップＳ２２ｋの、１つの音楽情報分の空き容量があるか否かを判断する際、その後の符号化された音声情報の大きさは完全に判断することは不可能であり、平均値に基づいて判断するためである。
【００５１】
そこで、作成中の第ｍの音声情報２３ｄｍが上記所定の大きさになった場合、ＦＭ放送録音部２２は、ステップＳ２２ｎの第ｍの音声情報２３ｄｍと、それに対応して作成されたインデックス情報の書き込みの動作に移る。そして、続いてステップＳ２２ｏ以降の動作に移る。これは、ステップＳ２２ｒの動作中に、記憶部２３に記憶されたファイル２３ａが削除された可能性があり、改めて記憶部２３の空き容量を知ることが適切だからである。
【００５２】
なお、ステップＳ２２ｋで、１つの音楽情報分の空き容量がないと判断された場合、ＦＭ放送録音部２２は、直ちにステップＳ２２ｓのＦＭ放送録音ファイル２３ｂの終端処理の要求と、ステップＳ２２ｕの表示部１５に録音を停止した旨の通知を表示する動作を行って、動作を終了しても良い。この処理によれば、ステップＳ２２ｒの音楽を符号化する度に行う記憶部２３に空きがあるか否かを判断する動作を省くことができる。
【００５３】
以上の動作では、ＦＭ放送録音部２２は、残り録音可能時間を表示部１５に表示しないとしたが、これに限るものではない。ステップＳ２２ｉで算出された、または、ステップＳ２２ｑで算出された残り録音可能時間を、適宜表示しても良い。
【００５４】
以上の説明では、ＦＭ放送録音部２２が録音動作中には、その他の処理部、即ち電子メール送受信部１７は、動作しておらず、記憶部２３に新たにファイル２３ａを記憶しないとした。たとえ、送受信部１３によって電子メール着信信号が受信されることによって電子メール送受信部１７が起動された場合であっても、電子メール送受信部１７は、表示部１５に電子メール着信信号が受信された旨の表示を行うものの、電子メールの受信動作を行わないとすれば、上記説明したＦＭ放送録音部２２の動作に影響はない。
【００５５】
次ぎに、ＦＭ放送録音部２２が録音動作中に、その他の処理部、即ち電子メール送受信部１７が動作し、記憶部２３に新たにファイル２３ａを記憶しようとする場合のＦＭ放送録音部２２の録音動作を説明する。
【００５６】
図６は、ＦＭ放送録音部２２が、例えば図５に示す、ステップＳ２２ｍの音声符号化によって新たに第ｍの音声情報２３ｄｍを作成し、また、インデックス情報への情報の追加を行っている際に、電子メール送受信部１７が新たにファイル２３ａを記憶しようとし、そのファイル２３ａの容量を記憶部２３に要求した際のＦＭ放送録音部２２の動作のフローチャートを示す。
【００５７】
ＦＭ放送録音部２２は、記憶部２３から送信された、ＦＭ放送録音部２２以外の処理部への容量割り当ての可否を、その割り当て予定の容量の大きさと共に受信する（ステップＳ２２ｖ）。そして、作成中の第ｍの音声情報２３ｄｍが既に説明した所定の大きさになる際の、その大きさに対応する容量と、その際までに対応して作成されるインデックス情報の容量との和によって、記憶部２３に格納する際に必要な容量を算出する（ステップＳ２２ｗ）。
【００５８】
次に、ＦＭ放送録音部２２は、ステップＳ２２ｖで問い合わせを受けた割り当てを受諾しても、上記算出された容量の格納が可であるか不可であるかを調べる（ステップＳ２２ｘ）。
【００５９】
即ち、ステップＳ２２ｅで通知を受けた、または、ステップＳ２２ｐで通知を受けた記憶部２３の空き容量から、上記割り当て予定の容量の大きさを減算し、その差が正なら、格納が可と判断して、割り当て可の回答を記憶部２３に通知して（ステップＳ２２ｙ）、録音動作を続ける。一方、上記差が負なら、格納が不可と判断して、割り当て不可の回答を記憶部２３に通知して（ステップＳ２２ｚ）、録音動作を続ける。
【００６０】
上記の動作は、作成中の第ｍの音声情報２３ｄｍが既に説明した所定の大きさになるまで録音を続けられる場合、割り当て可との回答を通知するとしたが、これに限るものではない。割り当て可否の問い合わせを受けた時点までの録音を記憶部２３に格納できる場合、割り当て可との回答を通知するとしても良い。この場合、ステップＳ２２ｗで、作成中の第ｍの音声情報２３ｄｍのその時点までの容量と、インデックス情報のその時点までの容量を算出すれば良い。そして、ステップＳ２２ｒの、符号化の度に記憶容量の空きがあるかを調べる動作に移る。
【００６１】
なお、ＦＭ放送録音部２２は、記憶部２３から送信された、ＦＭ放送録音部２２以外の処理部への容量割り当てを受信して、その割り当てに従うとしても良い。その場合、ＦＭ放送録音部２２は、ステップＳ２２ｅで通知された、または、ステップＳ２２ｐで通知された空き容量から上記ＦＭ放送録音部２２以外の処理部へ割り当てられた容量を減算して、ＦＭ放送録音部２２に割り当てられた容量を算出する。そして、算出された容量が、少なくともその時点までの録音が含まれるＦＭ放送録音ファイル２３ｂの大きさより大きければ、上記説明の動作をする。
【００６２】
一方、算出された容量が、その時点までの録音と、その録音に対応するインデックス情報が含まれるＦＭ放送録音ファイル２３ｂの大きさより小さい場合、ＦＭ放送録音部２２は、音声情報が符号化された情報を、最近符号化された情報から順次削除し、併せて、削除された情報に対応するインデックス情報の情報を削除し、算出された容量より小さい範囲で、算出された容量に最も近い大きさのＦＭ放送録音ファイル２３ｂを作成して記憶部２３に記憶し、そのＦＭ放送録音ファイル２３ｂ以外の記憶部２３の容量を解放する。
【００６３】
上記説明した、ＦＭ放送録音部２２は、記憶部２３から送信されたＦＭ放送録音部２２以外の処理部への容量割り当てに対して可否の回答を行う動作と、その割り当てに従う動作とは、適宜切り替えても良い。例えば、ＦＭ放送録音部２２の優先度が高く、表示部１５に表示を行っている場合は、可否の回答を行うとし、ＦＭ放送録音部２２の優先度が低く、表示部１５に表示を行っていない場合は、その割り当てに従うとしても良い。
【００６４】
以上の説明は、放送を受信して録音する処理を例にとったが、これに限るものではない。例えば、テレビ放送を受信して録画する処理であっても全く同じ動作をすれば良い。また、放送される情報が符号化された情報であれば、録音または録画にあたり、新たに符号化しなくとも良い。
【００６５】
また、上記説明は、本発明を移動通信端末装置に適用した例によって説明したが、これに限るものではない。その他の録音または録画を行う装置に適用することが当然に可能である。本発明は以上の構成に限定されるものではなく、種々の変形が可能である。
【図面の簡単な説明】
【００６６】
【図１】本発明の実施形態に係る移動通信端末装置の構成を示すブロック図。
【図２】本発明の実施形態に係るＦＭ放送録音ファイルの構成の一例を示す図。
【図３】本発明の実施形態に係るインデックスの構成の一例を示す図。
【図４】本発明の実施形態に係るＦＭ放送録音部の動作を示すフローチャート（その１）。
【図５】本発明の実施形態に係るＦＭ放送録音部の動作を示すフローチャート（その２）。
【図６】本発明の実施形態に係るＦＭ放送録音部の動作を示すフローチャート（その３、他処理部への容量割り当て可否の判断）。
【符号の説明】
【００６７】
１５  表示部
１６  入力装置
１７  電子メール送受信部
２１  ＦＭ放送受信部
２２  ＦＭ放送録音部
２３  記憶部
２３ａ  ファイル
２３ｂ  ＦＭ放送録音ファイル
２３ｃ  ヘッダ
２３ｄｍ  第ｍの音声情報
２３ｅ  インデックス
２３ｆ  録音開始からの時間
２３ｇ  音声情報番号
２３ｈ  オフセット
２４  ＦＭ放送再生部
【図１】
2007214745.tif 000003
【図２】
2007214745.tif 000004
【図３】
2007214745.tif 000005
【図４】
2007214745.tif 000006
【図５】
2007214745.tif 000007
【図６】
2007214745.tif 000008